(57)【特許請求の範囲】
【請求項１】
壁面または柱面に掛時計を取り付けるための掛時計の壁掛装置であって、
前記掛時計の裏面側に形成され、前記壁面または柱面に固定される取付具の引掛部と、
前記掛時計の引掛部と連続して形成された凹部と、
該凹部に取り付けられ、前記取付具を押さえるとともに、前記掛時計の取付作業時または取り外し作業時には押圧されることにより該凹部内において撓ませることが可能である落下防止用の弾性板材とを備え、
前記弾性板材は、前記凹部の上面を覆うように構成され、一端を固定端とし、他端を自由端として撓むように取り付けられ、
前記弾性板材の前記自由端側には、前記引掛部に向けてテーパー部が形成され、
前記自由端側に対向する凹部の壁面が、前記テーパー部と一定間隔を隔ててテーパー状に形成されていることを特徴とする掛時計の壁掛装置。
【請求項２】
前記弾性板材には折曲部が形成され、該折曲部が前記取付具と当接して配置されることを特徴とする請求項１に記載の壁掛装置。
【請求項３】
前記取付具にはフック部が形成され、該フック部と前記折曲部とが当接して配置されることを特徴とする請求項２に記載の壁掛装置。
【請求項４】
前記弾性板材は、前記取付具を前記引掛部に引掛可能に撓ませた場合に、撓んだ状態から元に戻る際に衝撃音と共に振動が発生するように設計されたことを特徴とする請求項１乃至３のいずれか１項に記載の壁掛装置。
【請求項５】
前記掛時計の裏面に、該掛時計の裏面と対向する前記壁面または柱面に着脱自在な着脱部材が設けられたことを特徴とする請求項１乃至４のいずれか１項に記載の壁掛装置。
【発明の詳細な説明】
【技術分野】
【０００１】
本発明は、壁面や柱面などに掛時計を取り付ける掛時計の壁掛装置に関する。
【背景技術】
【０００２】
掛時計や額縁などの壁掛物を壁面等に取り付ける場合には、壁面等に釘、ネジ、取付金具等を固定して、壁掛物に設けられた引掛穴に釘、ネジ等の頭部や取付金具のフック部を引っ掛けることによって行われる場合が多かった（例えば、特許文献１）。
【特許文献１】実開昭５７−１９４０８７号公報
【発明の開示】
【発明が解決しようとする課題】
【０００３】
上述したような壁掛物の取り付けでは、単に壁掛物の筐体に設けられた引掛穴を上から取付金具のフック部等に引掛ける構造のために、壁掛物を不用意に持ち上げたり、地震等による振動や衝撃が壁掛物を押し上げる方向に働いた場合には、壁掛物が取付金具のフック部等から外れてしまい、落下してしまう危険性がある。
【０００４】
また、上述した壁掛物の取り付けでは、壁掛物の引掛穴に取付金具のフック部等が確実に引掛かったか否かを十分に確認することができず、不十分な取り付けをした場合には、壁掛物が落下してしまうおそれがあった。
【０００５】
本発明は、上記問題点に鑑みてなされたもので、掛時計の壁面等への取付の確認が容易であるとともに掛時計の落下を防止することができる掛時計の壁掛装置を提供することを目的とする。
【課題を解決するための手段】
【０００６】
上記目的を達成するため、本発明の掛時計の壁掛装置は、
壁面または柱面に掛時計を取り付けるための掛時計の壁掛装置であって、
前記掛時計の裏面側に形成され、前記壁面または柱面に固定される取付具の引掛部と、
前記掛時計の引掛部と連続して形成された凹部と、
該凹部に取り付けられ、前記取付具を押さえるとともに、前記掛時計の取付作業時または取り外し作業時には押圧されることにより該凹部内において撓ませることが可能である落下防止用の弾性板材とを備え、
前記弾性板材は、前記凹部の上面を覆うように構成され、一端を固定端とし、他端を自由端として撓むように取り付けられ、
前記弾性板材の前記自由端側には、前記引掛部に向けてテーパー部が形成され、
前記自由端側に対向する凹部の壁面が、前記テーパー部と一定間隔を隔ててテーパー状に形成されていることを特徴とする。
【０００７】
また、前記弾性板材には折曲部が形成され、該折曲部が前記取付具と当接して配置されるようにしてもよい。
【０００８】
また、前記取付具にはフック部が形成され、該フック部と前記折曲部とが当接して配置されるようにしてもよい。
【０００９】
また、前記弾性板材は、前記取付具を前記引掛部に引掛可能に撓ませた場合に、撓んだ状態から元に戻る際に衝撃音と共に振動が発生するように設計するようにしてもよい。
【００１１】
また、前記掛時計の裏面に、該掛時計の裏面と対向する前記壁面または柱面に着脱自在な着脱部材が設けるようにしてもよい。
【発明の効果】
【００１３】
本発明によれば、掛時計の壁面等への取付の確認が容易であるとともに掛時計の落下を防止することができる掛時計の壁掛装置を提供することができる。
【発明を実施するための最良の形態】
【００１４】
以下、本発明の実施の形態に係る壁掛装置及びこれを備えた掛時計を、図１〜図４を参照して、説明する。
壁掛装置１は、図４に示すように、壁掛物である掛時計２０の一部を構成している。壁掛装置１は、壁掛物を壁面または柱面などに取り付けるためのものである。
【００１５】
壁掛装置１は、図１に示すように、弾性板材１０と、壁掛物である掛時計２０の筐体２１の前面側から背面側へと突設された２つのボス部１１と、掛時計２０の筐体２１の背面側に形成された凹部を構成する弾性板材用孔１２と、弾性板材用孔１２と連続して形成された引掛部１３と、弾性板材１０を筐体２１に固定するための２つの固定ねじ１４とにより構成されている。
【００１６】
弾性板材１０は、掛時計２０が落下することを防止するためのものである。弾性板材１０は、図２（ａ）に示すように、掛時計２０の壁面等への取付時及び取り外し時に掛時計２０側に撓ませることができる。弾性板材１０は、例えばステンレスの薄板バネ材料など適切な弾性部材が用いられる。
【００１７】
弾性板材１０は、後述する掛け金具３０のフック部３０ａ(図２参照)が引掛部１３に引っ掛けられ、適切な位置までガイドされるように撓ませると、撓んだ状態から元に戻る際に軽い衝撃音と共に振動が発生するように、厚さ、弾性係数等が考慮されて設計されている。
【００１８】
弾性板材１０には、上部に形成された第１の折曲部１０ａと、下部の両端に形成された一対の第２の折曲部１０ｂとが形成されている。
第１の折曲部１０ａは、掛け金具３０のフック部３０ａと対向して当接する位置に配設されることにより、掛け金具３０が引掛部１３から外れることを防止する。また、第１の折曲部１０ａの先端は、弾性板材１０が後述するように変形した際に、筐体２１に当接することで、弾性板材１０が所定の変形量以上に変形させられて塑性変形してしまうことを防止する。
【００１９】
一対の第２の折曲部１０ｂは、弾性板材１０を掛時計２０の筐体２１に固定するためのものである。一対の第２の折曲部１０ｂは断面がＬ字状の折曲部により構成されている。一対の第２の折曲部１０ｂには、固定ねじ１４が挿入される貫通孔１０１ｂが形成されている。
【００２０】
第２の折曲部１０ｂの貫通孔１０１ｂに固定ねじ１４を貫通させて、筐体２１に形成されたボス部１１に螺合させることにより、弾性板材１０は筐体２１の弾性板材用孔１２内に固定される。
【００２１】
筐体２１に立設されたボス部１１には固定ねじ１４を螺合させるための雌ねじ部が形成されている。
【００２２】
筐体２１の背面側に形成された弾性板材用孔１２の深さは、図２（ｂ）に示すように、掛時計２０の取付時及び取り外し時に弾性板材１０を撓ませるのに十分な深さに形成されている。
【００２３】
引掛部１３は、掛け金具３０のフック部３０ａ（図２参照）を引っ掛けるために形成されている。なお、引掛部１３に形成された切欠部１３ａは、後述する木ねじ４０を用いる場合（図５及び図６参照）のためのものである。
【００２４】
引掛部１３は、弾性板材用孔１２と連続して形成されている。弾性板材用孔１２を構成する上壁面１２ａは引掛け部１３に向けて次第に幅が狭くなるようにテーパー形状に形成されている。よって、掛け金具３０のフック部３０ａをテーパー形状の上壁面１２ａに当接させながら引掛部１３に導くことができる。
【００２５】
弾性板材１０は、掛時計２０を掛け金具３０に取り付ける時、引掛部１３が裏面となり位置を探しにくい場合でも、撓む事により弾性板材用孔１２の上壁面１２ａが現れフック部３０ａを引掛部１３に導くことができるように、厚さ、弾性係数等が考慮されて設計されている。
【００２６】
このような壁掛装置１を用いて掛時計２０を壁面または柱面に取り付けるには、まず、壁面等に図２に示した掛け金具３０をネジ止めによって固定する。
【００２７】
そして、弾性板材１０を図２（ｂ）に示すように内側へ撓ませつつ、掛け金具３０のフック部３０ａを壁掛装置１の引掛部１３に引っ掛ける。弾性板材１０の撓みを解くと、撓んだ状態から元に戻る際に軽い衝撃音と共に振動が発生する。弾性板材１０の第１の折曲部１０ａと掛け金具３０のフック部３０ａとが当接した状態で、掛時計２０が壁面等に取り付けられる。
【００２８】
また、掛時計２０を壁面等から取り外すには、弾性板材１０を内側に撓ませて、掛け金具３０のフック部３０ａを引掛部１３から取り外すだけのスペースを作り出し、弾性板材１０を押さえながら、掛時計２０の筐体２１を上方に持ち上げればよい。
【００２９】
このように本実施形態の壁掛装置では、掛時計２０を不用意に持ち上げたり、地震等による振動や衝撃が掛時計２０を押し上げる方向に働いた場合にも、弾性板材１０の第１の折曲部１０ａが掛け金具３０のフック部３０ａを押さえて引掛部１３から外れるのを防止することができるようにしたので、掛時計２０の落下を防止することができる。掛時計２０を押し上げる方向に力が働いた場合には、弾性板材１０は力が加わる方向に対して挫屈する向きで受け止めるので十分な強度で受け止めることができ、掛時計２０が外れるようなことがない。
【００３０】
また、本実施形態の壁掛装置では、弾性板材１０が、掛け金具３０のフック部３０ａが適切な位置までガイドされるように撓ませると、撓んだ状態から元に戻る際に軽い衝撃音と共に振動が発生するように設計するようにしたので、掛時計２０の壁面等への適切な取り付けを容易に確認することができ、不適切な取り付けによる落下を防止することができる。
【００３１】
さらに、本実施形態の壁掛装置では、弾性板材１０を指で押すことにより簡単に撓ませて掛時計２０の筐体２１を持ち上げることにより容易に掛時計２０を取り外すことができる一方で、その取り外し方法は容易に推測されることがないために、掛時計２０の盗難防止等の役割を果たすことができる。
【００３２】
また、本実施形態の壁掛装置では、弾性板材１０にステンレス製の板ばね材料等を採用するようにしたので、安価で信頼性の高い構造を実現することができる。
【００３３】
また、本実施形態の壁掛装置では、弾性板材用孔１２は既存の形状を変更する事無くボス１１を追加するだけでよく、また、既存の掛け金具３０等を用いることができるようにしたので、引っ掛け用の特殊な形状や構造を有する金具やネジを用いる必要がなく、コストを抑えることができる。
【００３４】
また、本実施形態の掛時計では、上述したような壁掛装置を備えるようにしたので、壁面等への適切な取り付けを容易に確認することができ、不適切な取り付けによる落下を防止することができ、盗難を防止することができ、安価で信頼性の高い構造を実現することができる。
【００３５】
なお、この発明は上記実施形態に限定されず、種々の変形及び応用が可能である。例えば、上記実施形態では掛け金具３０を用いる例について説明したが、図５及び図６に示すように、掛け金具３０の代わりに木ねじ４０を用いるようにしてもよい。
【００３６】
また、上記実施形態では壁掛物が掛時計２０である例について説明したが、壁掛物としては額縁であっても、電話機、扇風機等の電気機器であってもよい。
【００３７】
また、上記実施形態では弾性板材１０として第１の折曲部１０ａが形成された例について説明したが、図７に示すように、単純な平板からなる弾性部材５０を用いるようにしてもよい。弾性部材５０は、固定ねじ５１が筐体２１に形成されたねじ孔２１ａに螺合されることにより、筐体２１に下方部分が固定される。
【００３８】
また、上記実施形態における弾性板材１０の端に孔を明けて、この孔に線材やタイラップ等を通すことにより、落下防止や取り外し防止の効果を二重に実現するようにしてもよい。
【００３９】
また、従来のように壁掛物を取付金具等に上から引掛ける構造では、取付後に確実に取り付けた事を確認するために壁掛物を上下に移動させる必要が有るので実現できない構造であるが、図８に示すように、筐体２１及び筐体２１と対向し当接する壁面または柱面に例えば面ファスナー（マジックテープ（登録商標））２２等の着脱自在な着脱部材を貼り付けるようにしてもよい。
これにより、取り付けや取外しに影響せず、壁掛物に軽微な振動が加えられたときの姿勢変化を防止することができる。本発明は、確実に壁掛物を取り付けることができるので、このような構造をとることが可能となる。
【図面の簡単な説明】
【００４０】
【図１】（ａ）は本発明の実施の形態における壁掛装置の正面図であり、（ｂ）は（ａ）のＡ−Ａ線における矢視断面図である。
【図２】（ａ）は掛け金具が引っ掛けられた壁掛装置を表す正面図であり、（ｂ）は（ａ）のＢ−Ｂ線における矢視断面図である。
【図３】図２に示した掛け金具が引っ掛けられた壁掛装置の構成を表す斜視図である。
【図４】図１に示した壁掛装置を備えた掛時計の構成を表す斜視図である。
【図５】（ａ）は図１に示した壁掛装置に木ねじが引っ掛けられた状態を表す正面図であり、（ｂ）は（ａ）のＣ−Ｃ線における矢視断面図である。
【図６】図５に示した木ねじが引っ掛けられた壁掛装置の構成を表す斜視図である。
【図７】(ａ)は壁掛け装置の変形例を表す正面図であり、(ｂ)は(ａ)のＤ−Ｄ線における矢視断面図であり、(ｃ)は(ｂ)の固定ねじ付近の一部拡大断面図である。
【図８】着脱部材が設けられた掛時計の構成を表す正面図である。
【符号の説明】
【００４１】
１      壁掛装置
１０    弾性板材
１０ａ  第１の折曲部
１０ｂ  第２の折曲部
１１    ボス部
１２    弾性板材用孔
１２ａ  上壁面
１３    引掛部
１３ａ  切欠部
１４    固定ねじ
２０    掛時計
２２    面ファスナー
２１    筐体
３０    掛け金具
３０ａ  フック部
４０    木ねじ
【図１】
0004681494.tif 000002
【図２】
0004681494.tif 000003
【図３】
0004681494.tif 000004
【図４】
0004681494.tif 000005
【図５】
0004681494.tif 000006
【図６】
0004681494.tif 000007
【図７】
0004681494.tif 000008
【図８】
0004681494.tif 000009